(57)【特許請求の範囲】
【請求項１】
育苗箱に播種する直前の催芽した種籾に、稲用種子消毒剤（ただし、ペンタ−４−エニル−Ｎ−フルフリル−Ｎ−イミダゾール−１−イルカルボニル−ＤＬ−ホモアラニナートを除く。）の薬液を吹き付け処理した後、その種籾を育苗箱に播種し、覆土することにより、薬液に浸漬して風乾する作業や廃液処理作業を不要としたことを特徴とする、稲病害の省力防除方法。
【発明の詳細な説明】
【発明の目的】
【発明の属する技術分野】
本発明は、育苗箱における稲の育苗に必須とされる種子消毒方法であって、省力的、かつ廃液の出ない新しい方法を提供することに関する。
【０００２】
【従来の技術】
従来、稲の種子伝染性病害の種子消毒は、（１）浸種前消毒法と称される方法、すなわち、乾燥した種籾（以下「乾籾」という）を、種子消毒剤を水により希釈した薬液（以下単に「薬液」という。）中に一定時間浸漬するか、もしくは種子消毒剤を高濃度に含む薬液の一定量を乾籾に吹き付けるか、または薬剤（種子消毒剤の水和剤等を用いる。以下単に「薬剤」という。）を乾籾に粉衣した後、停滞水中に浸種する方法、あるいは（２）浸種後消毒法と称される方法、すなわち、乾籾を流水あるいは停滞水中に浸種し、その後、薬液中に一定時間浸漬するか、またはその種籾に薬剤を粉衣する方法が用いられている。
【０００３】
また、種籾の薬液浸漬や吹き付け、粉衣などの作業を行わずに種子予措（種子消毒、浸種など種子を播種するまでの作業行為）した種籾を常法により育苗箱に播種し、その直後に種子消毒剤の薬液を種籾表面に散布することにより、種子伝染性病害および立枯性病害を防除できることが知られている（特開平４−１７３７０３号公報、特開平５−５８８１２号公報、特開平５−１９４１１５号公報、特開平５−１９４１１９号公報）。
【０００４】
【発明が解決しようとする課題】
従来の種籾を薬液中に浸漬したり、予め高濃度の薬液を乾籾に吹き付けて保存したり、乾籾に薬剤を粉衣するなどの種子消毒法は、一般にこれらの作業の後、停滞水中に浸漬する必要があるなど、作業が煩雑であり時間がかかる。そのため稲栽培の一環として共同育苗が広く行われているが、種子消毒で使用される薬液量が多く、その廃液には環境汚染防止のために石灰などを添加して処理することが必要である。したがって、従来の種子消毒法に替わり、より省力的な種子消毒方法の確立が望まれている。その解決法の一つとして、上記のとおり、従来のような種籾の薬液浸漬や吹き付け、粉衣などの作業を行わずに、種子予措した種籾を常法により育苗箱に播種し、その直後に上記薬剤の薬液を種籾表面に散布することにより、種子伝染性病害および立枯性病害を防除できることが見いだされている。しかし、現実には、薬液の定量散布に困難が伴うことや高濃度の薬液が育苗箱外に漏れたり、大量の播種作業では多量の高濃度の廃液が生じて環境汚染をひきおこすおそれがあることにより、廃液が出ない種子消毒法が求められている。
【０００５】
本発明はこのような現状に鑑み、省力的で、すぐれた防除効果を発揮し、かつ廃液が出ない稲病害の防除方法を提供するものである。すなわち、上記した種籾の薬液浸漬や吹き付け、または粉衣などの作業を行わずに種子予措した種籾を、常法により育苗箱に播種し、その直後に上記薬剤の薬液を種籾表面に散布するという既知の技術を改良し、新しい種子消毒方法を開発せんとするものである。
【０００６】
【発明の構成】
【課題を解決するための手段】
本発明者らは、前記の課題を解決するために鋭意検討を重ねてきた。その結果、種籾を従来は薬液中での浸漬、粉衣、吹き付けなどの作業を行っていたが、これを行わずに、まず種子予措し、後記の薬剤の所定濃度の薬液を催芽した籾に吹き付け、必要に応じて軽く風乾し、次いで常法により育苗箱（縦×横×高＝６０ｃｍ×３０ｃｍ×３ｃｍ）に播種し、覆土することにより、種子伝染性病害を有効に防除できることを見出した。すなわち、本発明の要旨とするところは、育苗箱に播種する直前の催芽した種籾に、稲用種子消毒剤（ただし、ペンタ−４−エニル−Ｎ−フルフリル−Ｎ−イミダゾール−１−イルカルボニル−ＤＬ−ホモアラニナートを除く。）の薬液を吹き付け処理した後、その種籾を育苗箱に播種し、覆土することにより、薬液に浸漬して風乾する作業や廃液処理作業を不要としたことを特徴とする、稲病害の省力防除方法にある。
【０００７】
次に、本発明の稲病害の省力防除方法について具体的に述べる。
【０００８】
【発明の実施の形態】
本発明の方法に使用する種子消毒剤の有効成分としては、次のものが挙げられるが、これらに限定されることなく、催芽した種籾に薬害を与えない種子消毒剤であればいずれでも使用できる。
【０００９】
また、これらの種子消毒剤の有効成分を２種以上併用してよい。
【００１０】
１）ベンズイミダゾール系殺菌剤
▲１▼メチル−１−（ｎ−ブチルカルバモイル）−２−ベンズイミダゾールカーバメート（以下「ベノミル」という）
▲２▼１，２−ビス（３−メトキシカルボニル−２−チオウレイド）ベンゼン（以下「チオファネートメチル」という）
２）ステロール脱メチル化阻害剤
▲１▼（Ｅ）−４−クロロ−α，α，α−トリフルオロ−Ｎ−（１−イミダゾール−１−イル−プロポキシエチリデン）−ｏ−トルイジン（以下「トリフルミゾール」という）
▲２▼Ｎ−プロピル−Ｎ−｛２−（２，４，６−トリクロロフェノキシ）エチル｝イミダゾール−１−カルボキサミド（以下「プロクロラズ」という）
▲３▼２−｛（４−クロロフェニル）メチル｝−５−（１−メチルエチル）−１−（１Ｈ−１，２，４−トリアゾール−１−イルメチル）−シンクロペンタノール（以下「イプコナゾール」という）
３）銅殺菌剤
▲１▼水酸化第二銅
▲２▼塩基性塩化銅
４）その他
▲１▼ビス（ジメチルチオカルバモイル）ジスフィド（以下「ＴＭＴＤ」という）
【００１１】
播種直前の催芽籾への薬液の吹き付け方法としては、既知の方法、例えば（１）ホッパーから落下する催芽籾に適当なノズルを用い直接吹き付ける方法、（２）ホッパーから育苗箱に振動するガイド板を取り付け、その上を跳びはねながら催芽籾が通過する時に適当なノズルを用い吹き付ける方法、（３）ホッパーから育苗箱上に通じるドラムを取付け、その中を通過する催芽籾に薬液を吹き付ける方法などが使用できる。
【００１２】
なお、上述の吹き付け機には、催芽籾に吹き付けられなかった薬液を回収する薬液受けを取付け、ポンプにより再び薬液タンクに戻るようにする。小規模な催芽籾への薬液の吹き付け法としては、モルタルミキサーのごとき回転する機械の中に催芽籾を入れ、適当な散布器で所定薬量を均一に吹き付ければよい。
【００１３】
本発明の稲病害の省力防除方法に用いる薬剤は、新たに製剤化したものを用いてもよいが、市販の製剤をそのまま使用することもできる。そのような例として、上記薬剤の水和剤、乳剤、フロアブル（水性懸濁剤）のいくつかを例示するが、剤型はこれらに限定されない。
【００１４】
これらの製剤中における種子消毒剤の有効成分の含有量は、限定的なものではないが、通常は、１〜５０％の範囲であり、常法によって製剤化して使用できる。これらの薬剤を水で３〜１０００倍に希釈し、上記の方法により薬液（有効成分量５〜８０００mg）を催芽籾１kg当り５０ml〜６０ml、好ましくは１０ｍｌ〜３０ｍｌを催芽籾に吹き付け、必要に応じて風乾し、育苗箱（縦×横×高さ＝６０ｃｍ×３０ｃｍ×３ｃｍ）の一箱当りに薬液を吹き付け処理した籾を１００〜２００ｇの量で播種し、覆土すればよい。
【００１５】
また、本発明の稲病害の省力防除方法は、上記薬剤をその他の殺菌剤、植物成長調節剤、肥料などと混合して用いることができる。
【００１６】
次に、本発明の省力防除方法に使用する製剤について実施例の一部を示すが、製剤は例示したものに限定されるものではなく、上記薬剤のいずれにおいても適応できる。
【００１７】
なお、実施例中で部とあるものは、すべて重量部である。
【００１８】
実施例１（水和剤）
ベノミル                                                      ５０部
ポリオキシエチレンノニルフェニルエーテル                        ２部
リグニンスルホン酸ナトリウム                                    ３部
ホワイトカーボン                                                １部
クレー                                                        ４４部
上記の組成を均一に混合し、粉砕して水和剤を得る。
【００１９】
実施例２（水和剤）
ベノミル                                                      ２０部
ＴＭＴＤ                                                      ２０部
ポリオキシエチレンノニルフェニルエーテル                        ２部
リグニンスルホン酸ナトリウム                                    ３部
ホワイトカーボン                                                ５部
クレー                                                        ５０部
上記の組成を均一に混合し、粉砕して水和剤を得る。
【００２０】
実施例３（水和剤）
イプコナゾール                                                  ６部
ポリオキシエチレンノニルフェニルエーテル                        ２部
リグニンスルホン酸ナトリウム                                    ３部
クレー                                                        ８９部
上記の組成を均一に混合し、粉砕して水和剤を得る。
【００２１】
実施例４（乳剤）
トリフルミゾール                                                ５部
キシロール                                                    ８５部
ポリオキシエチレンノニルフェニルエーテル                      １０部
上記の組成を均一に混合し、溶解して乳剤を得る。
【００２２】
実施例５（乳剤）
プロクロラズ                                                  ２０部
キシロール                                                    ７０部
ポリオキシエチレンノニルフェニルエーテル                      １０部
上記の組成を均一に混合し、溶解して乳剤を得る。
【００２３】
実施例６（フロアブル）
トリフルミゾール                                                ５部
ポリオキシエチレンノニルフェニルエーテル                        １部
リグニンスルホン酸ナトリウム                                    ４部
キサンタンガム２％水溶液                                      １０部
水                                                            ８０部
上記の組成をホモミキサー（日本特殊機化工業株式会社製）で均一に混合し混合分散させ、フロアブルを得る。
【００２４】
実施例７（フロアブル）
プロクロラズ                                                  ２０部
ポリオキシエチレンノニルフェニルエーテル                        １部
リグニンスルホン酸ナトリウム                                    ４部
キサンタンガム２％水溶液                                        １０部
水                                                            ６５部
上記の組成をホモミキサー（日本特殊機化工業株式会社製）で均一に混合して分散させ、フロアブルを得る。
【００２５】
上記の水和剤、乳剤、フロアブルや市販の水和剤、乳剤、フロアブルなどを用いて稲病害の省力防除方法を行えばよい。
【００２６】
【発明の効果】
本発明の稲病害の省力防除方法は、単に播種前の催芽籾に薬液を吹き付け処理するだけでよいため、従来の薬液に浸漬して風乾する種子消毒法に比べて防除作業が簡単である。また種籾を薬液に浸漬しないため、廃液処理を必要とせず、環境汚染の心配がない。
【００２７】
次に、本発明による稲病害の省力防除方法の有用性を具体化するため試験例を示す。
【００２８】
【試験例】
試験例１
稲ばか苗病罹病籾［品種「日本晴」の種籾；罹病率３５％］を２０℃で４日間水に浸種し、軽く水を切って３２℃で１６時間催芽処理する。そして、ハト胸状を呈する種籾１５ｇに、実施例に準じて調製した薬剤を水で希釈し、所定濃度の薬液０．３ｍｌ（２０ｍｌ／種籾１ｋｇに相当）が催芽籾に均一に付着するように小型エアースプレイヤー（オリンポス製エアーブラシュ  モデルＨＰ−１０２Ｂ）で薬液を噴霧して吹き付け処理した。このように薬剤を吹き付け処理した催芽籾１５ｇは通常の育苗箱（縦×横×高さ＝６０ｃｍ×３０ｃｍ×３ｃｍ）の１０分の１の大きさの育苗箱（縦×横×高さ＝１２cm×１５cm×３cm）に播種し、直ちに覆土した（通常の育苗箱に１５０g播種した量に相当する）。播種後は、３２℃で２日間出芽処理し、出芽後、２日間は温室内の寒冷紗で遮光し、半日陰とした所におき、その後は寒冷紗を除去し、通常の栽培管理をした。
【００２９】
なお、育苗培土は市販のクミアイ粒状培土Ｋ（呉羽化学工業株式会社製）を使用した。
【００３０】
播種３０日後に育苗箱の全苗について、徒長、枯死などの稲ばか苗症状を示した発病苗数と無病徴の苗数について調査し、下記式によって発病苗率（％）を求め、防除価（％）を求めた。また、薬害については出芽率、生育程度などについて観察し、下記の薬害程度で示した。
【００３１】
【数１】
0003807560.tif 000002
【００３２】
【数２】
0003807560.tif 000003
薬害程度
−：無  ±：微小  ＋：少  ＋＋：中  ＋＋＋：大
【００３３】
本試験は１区３連制で行い、その平均防除価（％）を求めた。その結果を表１に示す。
【００３４】
【表１】
0003807560.tif 000004
【００３５】
注１）  対照区の種子消毒方法
所定濃度の薬液に種籾を２４時間浸漬したのち、６時間陰干し、２０℃で３日間水浸漬した。次いで、水を切って３２℃で一夜催芽処理し、ハト胸状態を呈する種籾を育苗箱の１箱当り乾籾換算で１５ｇ播種した。散布後は覆土し、本発明区の育苗箱と同様に管理した。
【００３６】
注２）  無処理区の（  ）内は稲ばか苗病発病苗率（％）を示す。